(57)【要約】      （修正有）【課題】シリコーンゴムを素材として商品化され市場に出ているが、次のような点で課題がある。（１）直接立体形状を成形するため金型が複雑で製作コストが高く、生産性も悪い、（２）高温容器の持ち手が太い場合や摘み部分が大きい場合にそれらを保持し難い、（３）滑り止めや断熱敷き具などの目的には使い難い、（４）中空立体の一体構造のため、広い面積の印刷が難しい、（５）３回回転対称性を保つための歪み防止に生産管理上の特別の注意が必要、（６）生産、流通、販売のそれぞれの段階において嵩高く流通コスト高になる、など。【解決手段】単純で平面的な同一形状の単体または複数個を立体形状に組み立てて目的形状を得る方式にすることにより、従来品と同等の機能（用途）を実現できる。のみならず、組立接合部分を可逆的接合構造にすることにより、機能（用途）や商品デザインの幅を拡げることができる。【選択図】図９
2011115537.tif 000002
【特許請求の範囲】
【請求項１】
対となって可逆的に繰り返して簡単に嵌め合せ又は留め合わせそして取り外しが可能な接合構造をその中に備える１枚の板状の耐熱性の高い樹脂弾性体であり、その接合構造を用い必要に応じてそれ自体を平面形状から立体形状に、或いは立体形状から平面形状に変換することができることを特徴とする高温物体簡便安全移動保持具・敷き具、または蓋オープナー、または液体移送具。
【請求項２】
対となって可逆的に繰り返して簡単に嵌め合せ又は留め合わせそして取り外しが可能な接合構造をそれぞれその中に備える複数枚の板状の耐熱性の高い樹脂弾性体から成り、その接合構造を用い必要に応じて互いを接合させ組み合せることによりひとつ又は複数の立体的或いは平面的な形状を組み立てることができ、また必要に応じて接合を解いて個々の単位に戻せることを特徴とする高温物体簡便安全移動保持具・敷き具、または蓋オープナー。
【請求項３】
複数枚の板状の耐熱性の高い樹脂弾性体が同一の寸法形状であることを特徴とする請求項２に記載の高温物体簡便安全移動保持具・敷き具、または蓋オープナー、または器具載置具、または水切り具。
【請求項４】
可逆的に繰り返して簡単に嵌め合せ又は留め合わせそして取り外しが可能な接合構造が凹部（群）又は貫通穴部（群）と凸部（群）の嵌め合せ構造であることを特徴とする請求項２または請求項３に記載の高温物体簡便安全移動保持具・敷き具、または蓋オープナー、または器具載置具、または水切り具。
【請求項５】
貫通穴部（群）の最小内径が凸部（群）最小外径よりも小さくて嵌合を適度に堅く保てることを特徴とする請求項４に記載の高温物体簡便安全移動保持具・敷き具、または蓋オープナー、または器具載置具、または水切り具。
【請求項６】
貫通穴部（群）に凸部（群）を差し込む際に貫通穴部（群）のある板のどちらの面から差し込んでも同等に行えて同等の嵌合になることを特徴とする請求項５に記載の高温物体簡便安全移動保持具・敷き具、または蓋オープナー、または器具の載置具、または水切り具。
【請求項７】
１枚の形状が略長方形または正方形である請求項６に記載の耐熱性樹脂弾性体であり、その３枚を立体に組み合わせるとき中央に空洞を有する略３角柱の３回回転対称形状とすることのできる高温物体簡便安全移動保持具・敷き具、または蓋オープナー、または器具載置具、または水切り具。
【発明の詳細な説明】
【技術分野】
【０００１】      本発明は、加熱調理の際の高温容器や調理具などの高温物体を、手指に火傷をせぬ様に速やかに安全に移動させることを可能とする取り扱いが簡便な道具の中、組み立て式のものに関する。
【背景技術】
【０００２】      本発明は、特許第３５１３１４５号で開示され商品化されているシリコーンゴムを用いた「なべつかみ」に類する発明品に関係している。
【先行技術文献】
【特許文献】
【０００３】
【特許文献１】特許第３５１３１４５号
【発明の概要】
【発明が解決しようとする課題】
【０００４】      特許第３５１３１４５号で開示されている「なべつかみ」に類する発明品の出願図面の中、図１０の形は既にシリコーンゴムを素材として商品化され市場に出ているが、次のような点で課題がある。
（１）直接立体形状を成形するため金型が複雑で製作コストが高く、生産性も悪い、
（２）高温容器の持ち手が太い場合や摘み部分が大きい場合にそれらを保持し難い、
（３）滑り止めや断熱敷き具などの目的には使い難い、
（４）中空立体の一体構造のため、広い面積の印刷が難しい、
（５）３回回転対称性を保つために歪み防止の生産管理上の注意が必要、
（６）生産、流通、販売のそれぞれの段階において嵩高く流通コスト高になる、など。
【課題を解決するための手段】
【０００５】      単純で平面的な同一形状の単体または複数個を立体形状に組み立てて目的形状を実現する方式にすることにより、上記課題を解決できる。使用時に組み立てて従来品と同等の形状にすることにより、従来品と同等の機能（用途）を実現できる。のみならず、組立接合部分を繰り返して簡単に外したり留めたりすることができる可逆的接合構造にすることにより、一部を外したり組み合わせ方を変えることができるため、機能（用途）や商品デザインの幅を拡げることができる。
【発明の効果】
【０００６】      本発明により次のような効果を期待できる。
（１）金型コストを低く抑えることができる。
（２）生産性を向上させコストを下げることができる。
（３）組み立てる前の形で流通させることにより流通コストを下げることができる。
（４）機能（用途）を拡げることができる。
（５）印刷をし易くなり、また色の異なる単体の組み合わせができ、商品デザインの幅が      拡がる。
【図面の簡単な説明】
【０００７】
【図１】一対の開口穴部と差し込み舌状部をその一部に有する１枚の耐熱性弾性板材を立体形状に形成したもの。
【図２】その一部に複数の穴と複数の凸部が形成されていて、穴部と凸部は互いに嵌め合せることができる１枚の耐熱性弾性樹脂板材。
【図３】図２の一部の穴部と凸部を接合させてできた立体形状の一例。
【図４】図２の２枚を上下に嵌め合せて一枚の厚い板にした形。
【図５】穴部と凸部の形状の一例（模式断面図）、上側が凸部、下側が穴部。
【図６】図５の穴部最小内径が凸部最小外形より小さい場合には、嵌め合せ接合部分に重なりのできることを示す模式図。
【図７】図６の重なり余剰部分が、実際には凸部端面の膨らみとなってより堅い接合状態を得られることを示す模式図。
【図８】図２の２枚を円筒状に組み合わせた形。
【図９】図２の３枚を３回回転対称形状に組み合わせた形。
【図１０】図２の３枚を平面的に組み合わせた形のひとつ。
【図１１】図２の３枚を平面的に組み合わせた別の形のひとつ。
【図１２】図９の２個を用いて熱いお椀状の容器を持った使用例（左）、及び図２の２枚を用いて熱いお椀状の容器を持った使用例（右）。
【図１３】図９の２個を用いて熱いお皿状の容器を持った使用例（左）、及び図２の２枚を熱いお皿状の容器を持った使用例（右）。
【図１４】図９の２個を用いて熱いコップ状の容器を持った使用例（上左）、及び図２の２枚を用いて熱いコップ状の容器を持った使用例（上右）、及び図２の１枚を用いて熱いコップ状の容器の柄部分を持った使用例（下）。
【図１５】図９に「おたま」を載置した使用例。
【図１６】図９に「しゃもじ」を載置した使用例。
【図１７】図９に「鍋の蓋」を載置した使用例。
【図１８】図９に「眼鏡」を載置した使用例。
【図１９】図９に「携帯電話」を載置した使用例。
【実施例１】
【０００８】      図１は本発明の最も単純な形である。短冊状の耐熱性のある弾性樹脂板の両端に互いに差し留めすることのできる構造を有する。この形で片手鍋の柄ややかんの持ち手が熱い時の断熱保持具として使える。この立体形状は特許３５１３１４５号の中の図３に類似しており、２個１組にしてお椀やコップなどが熱い場合の保持具としても使える。板の厚さは自由に選べるが、実用的には１．５〜３．０（ｍｍ）程度がよい。弾性樹脂材料としては、例えばシリコーンゴムが耐熱性、耐滑り性、衛生面、価格面で現実的である。ゴム硬度も５０前後が実際的である。これ以降の使用例の説明においても、弾性樹脂素材の種類や厚さ、硬度に関して同じことが言える。図１の立体形状の接合部を外して平面状にすれば、鍋敷きとしても、大根おろし具の下に敷いて滑り止め板としても、またペットボトルや瓶詰製品の蓋のオープナーとしても使える。【０００９】      図２は略正方形の板の相対する２カ所に穴部群と凸部群を有する耐熱性のある弾性樹脂板の１枚である。角部にある２カ所の穴は、フックに掛けて保管する便利のための穴である。この１枚を丸めてフック用穴に凸部のひとつを嵌めると図３の形を実現できる。この形は漏斗形状であり、液体を異なる容器に移送する際の道具として使える。各々の穴を貫通穴とせず凹み穴（袋穴）とすることも可能である。一定のレベルの接合強度を得るためには貫通穴の方が実際的である。個々の貫通穴または凸部の大きさや形状またそれらの数は用途に合わせて適当に選べるが、例えば一辺が８５（ｍｍ）で厚さが２（ｍｍ）ゴム硬度が５０のシリコーンゴム製の板の場合、ひとつの穴／凸の大きさはφ３〜５（ｍｍ）程度が実際的である。【００１０】      図４は図２枚の弾性樹脂板の穴部群と凸部群を嵌め合せて重ねた形態である。この状態では両面ともほぼ平滑面になり、鍋敷きとしてもコースターとしても使える。異なる色の板を組み合わせた場合、デザイン面の面白さも期待できる。【００１１】      図５は凸部と穴部の断面形状の一例の模式図である。この図では凸部の最小外径と穴部の最小内径が同じであり、凸部を穴部に押し込んで嵌め合せると凸部の頂頭部が穴部の形状に丁度一致して納まる。しかし、嵌め合せ接合の強度を増すには穴部の最小内径が凸部の最小外径よりも小さいのが良い。この場合の凸部と穴部の断面をそのまま重ね合わせると、図６に示す如く重なり部分が生じる。実際には、樹脂弾性体の場合この重なりに相当する余剰部分だけ嵌め合せが堅くなり、断面の状態は図７の如くに凸部の頭部分が押されてやや外に張り出すことになる。逆に穴部はやや拡げられる。凸部と穴部の断面寸法形状の取り方により凸部頭部の張り出し方は変わるが、張り出した部分の高さが０．４（ｍｍ）程度以下になるように設計すれば、図２に示すような耐熱性弾性樹脂板の複数枚で穴部と凸部の嵌め合せを実現した場合、嵌め合せ部分の平坦度は実用上特に支障なくしかも適度な嵌め合せ強度も実現できる。図５から図７に示すように穴部断面形状が板厚の中央線上下で対称な場合、凸部を穴部に嵌め込む際に穴部の上下どちらの面からでも同等に行うことができる。【００１２】      図８は図２の耐熱性の高い弾性樹脂板の２枚を組み合せて���筒形状にした状態を示す。熱くなった片手鍋の柄ややかんの持ち手を掴むときに便利な形態である。留め外しは簡単に行える。【００１３】      図９は図２の耐熱性の高い弾性樹脂板の３枚を組み合わせて中央に空洞部を有する３回回転対称の立体を形成した状態を示す。同形状同質の３枚の弾性樹脂板の同等の組み合わせなので３回回転対称の立体となる。この形態は特許３５１３１４５号の中の図１０に相当する。当該発明になる図９では、これが３枚の同じ形状の耐熱性弾性樹脂板の組み合わせで実現されていることが特徴である。３枚の板は簡単に留め外しができて、図１０や図１１のような平面的な組み合わせ形状にも転換でき、その場合例えば鍋敷きとしての利用が考えられる。１枚の単位で、或いは２枚または３枚を組み合わせて、例えば壜やボトルの蓋のオープナー（滑り止め板）としても使える。図９が図２を単位とした弾性樹脂板から形成されることは、特許３５１３１４５号の発明品では実現できなかった用途面の拡がりを意味する他、生産流通面やデザイン面で有利な点がでてくることをも意味する。即ち、図２のような平面形状の成形では金型も単純になり生産性が増す。金型に掛かるコストも生産コストも下げることができる。生産工場内の搬送や製品の流通においても図２の平面形状の単位で行えるため、扱いやすく流通コストを下げることができる。また印刷加工がより行い易くなり、また３枚の板の色を違えることもできるのでデザイン面の幅も拡げることができる。このように、特許３５１３１４５号の中の図１０と同等の形状を３枚の同一形状の耐熱性弾性樹脂板を組み合わせ形成して実現できることを特徴とする本発明は、用途、コスト、デザインの全ての面で新たな価値を与えてくれる。【００１４】      図９の形態の二つを両手で用いると、特許３５１３１４５号になる発明の機能をそのまま実現できる。このときの熱いお椀状の容器の保持使用例を示すのが図１２の左図、熱いお皿状の容器の保持使用例を示すのが図１３の左図、熱いコップ状の容器の保持使用例を示すのが図１４の上左図。これらは、それぞれ特許３５１３１４５号中の図１１、図１３、図１２の使用例に相当する。本発明では図９を組み外して３枚の単位に戻した形の図２の状態でも上記のそれぞれの熱い容器を保持することを可能としている。図１２の右図は図２の２枚を用いた熱いお椀状の容器を保持使用例、図１３の右図は図２の２枚を用いた熱いお皿状の容器の保持使用例、図１４の上右図は図２の２枚を用いた熱いコップ状の容器の保持使用例、図１４の下図は図２の１枚を用いた熱いコップ状の容器の柄の保持使用例である。また、組み立てた形態のままでも、組み外した其々の単体ででもペットボトル飲料や瓶詰の蓋のオープナーとして使用できる。或いは、机上に置いて中央空洞部を利用して鉛筆やボールペン立てにもなるし、羽根部分の２枚合わせ部分にメモ用紙を挟めばメモホルダーにもなる。このように、複数の単位弾性樹脂板を組み立てた状態でも組み外した状態でも、使用目的や状況に合わせて様々に使用できるのが本発明品の特徴である。【００１５】      図１５、図１６、図１７は、図９の本発明形態が台所で使用される場合、おたまやしゃもじ、鍋の蓋などを置く用途にも便���に使えることを示している。素材が例えばシリコーンゴムのような樹脂弾性体なので、ソフトにそして滑り難くこれらのキッチン用具を載置できる。図９の形態は、その立体形状により３枚の羽根となる２枚合わせ部分に適度な強度が得られるので、流し周りや洗面台周りの水切り、或いは車や家のガラス窓洗浄時の水切りとしても使い易い。図９の形態を洗面台周りに置く場合には、その中空部分に歯ブラシを立てることもできる。図９の形態はまたパソコンやテレビの液晶画面に静電的に付着した埃を画面に傷つけることなく柔らかく掻き取る道具としても使える。非導電材としてのシリコーンゴムは静電的に液晶画面に付着した埃を吸着し易い。勿論、事務机や家具表面などに付着した埃取りとしても使える。付着した汚れは簡単に水で洗浄できる。【００１６】      図１８、図１９は、図９の発明形態が更に他の物の載置にも使える例を示している。眼鏡や携帯電話をソフトに滑り落ち難く置くことができる。
【符号の説明】
【００１７】        １  耐熱性の高い弾性樹脂板状素材を使った本発明の単体の例
２  差し込みの開口部分
３  ２の部分に差し込み留めるための舌状突起部分
４  嵌め合せ接合構造の一方、凹み穴または貫通穴部
５  嵌め合せ接合構造の一方、凸部
６  嵌め合せ接合された部分
７  図９に示す組立てられた本発明のひとつ
８  熱いお椀または丼状食器
９  熱いお皿
１０  熱いコップ
１１  おたま
１２  しゃもじ
１３  なべ蓋
１４  眼鏡
１５  携帯電話
【図１】
2011115537.tif 000003
【図２】
2011115537.tif 000004
【図３】
2011115537.tif 000005
【図４】
2011115537.tif 000006
【図５】
2011115537.tif 000007
【図６】
2011115537.tif 000008
【図７】
2011115537.tif 000009
【図８】
2011115537.tif 000010
【図９】
2011115537.tif 000011
【図１０】
2011115537.tif 000012
【図１１】
2011115537.tif 000013
【図１２】
2011115537.tif 000014
【図１３】
2011115537.tif 000015
【図１４】
2011115537.tif 000016
【図１５】
2011115537.tif 000017
【図１６】
2011115537.tif 000018
【図１７】
2011115537.tif 000019
【図１８】
2011115537.tif 000020
【図１９】
2011115537.tif 000021